(57)【要約】      （修正有）【課題】画像形成材料が切れた際に行われる処理をより多様化することのできる印刷制御装置を提供する。【解決手段】プリンタドライバ３の状態監視クラス４は、印刷用の各トナーの残量を監視する。印刷データ生成クラス５は、イエロー，マゼンダ，シアンのトナーの用いられるカラー印刷データ、及び、ブラックのトナーの用いられるモノクロ印刷データを生成する。印刷方法選択クラス６は、監視した何れかのトナー残量がエンプティ値に達すると、印刷方法の選択手段をユーザに提供する。データ変換クラス７のＨＤＤ保存用変換クラス７１は、印刷方法選択クラス６が提供した印刷方法の中から「ＨＤＤ保存する」が選択されると、ＨＤＤ保存用データに印刷データを変換する。データ送信処理クラス８は、データ変換クラス７が変換した印刷データを印刷装置に送信する。【選択図】図２
2009259138.tif 000002
【特許請求の範囲】
【請求項１】
印刷ジョブの実行に印刷装置が用いる画像形成材料の残量を監視する監視手段と、前記監視手段の監視する画像形成材料の残量が所定のエンプティ値に達するとその画像形成材料を用いる印刷データを前記印刷装置の記憶部への保存用に生成する保存データ生成手段と、前記保存データ生成手段が生成した印刷データを前記印刷装置に送信する印刷データ送信手段とを備えることを特徴とする印刷制御装置。
【請求項２】
前記監視手段の監視する画像形成材料の残量が所定のエンプティ値に達するとその印刷ジョブの実行方法を提供する実行方法選択手段を備え、
前記保存データ生成手段は、前記実行方法選択手段の提供した印刷ジョブ実行方法の中から、エンプティ値に達した画像形成材料を用いる印刷データを前記印刷装置の記憶部に保存することが選択されると印刷データの生成を行うことを特徴とする請求項１に記載の印刷制御装置。
【請求項３】
印刷ジョブを生成するジョブ生成装置と、前記ジョブ生成装置が生成した印刷ジョブに基づき印刷を行う印刷装置とを備えて構成される印刷システムであって、
印刷ジョブの実行に前記印刷装置が用いる画像形成材料の残量を監視する監視手段と、前記監視手段の監視する画像形成材料の残量が所定のエンプティ値に達するとその画像形成材料を用いる印刷データを前記印刷装置の記憶部への保存用に生成する保存データ生成手段と、前記保存データ生成手段が生成した印刷データを前記印刷装置の記憶部に保存する印刷データ保存手段とを、それぞれ前記ジョブ生成装置及び前記印刷装置の何れかに備えることを特徴とする印刷システム。
【請求項４】
前記監視手段の監視する画像形成材料の残量が所定のエンプティ値に達するとその印刷ジョブの実行方法を提供する実行方法選択手段を、前記ジョブ生成装置又は前記印刷装置に備え、
前記保存データ生成手段は、前記実行方法選択手段の提供した印刷ジョブの実行方法の中から、エンプティ値に達した画像形成材料を用いる印刷データを前記印刷装置の記憶部に保存することが選択されると、印刷データの生成を行うことを特徴とする請求項３に記載の印刷システム。
【請求項５】
印刷ジョブの実行に印刷装置が用いる画像形成材料の残量を監視する監視工程と、前記監視工程の監視する画像形成材料の残量が所定のエンプティ値に達するとその画像形成材料を用いる印刷データを前記印刷装置の記憶部への保存用に生成する保存データ生成工程と、前記保存データ生成工程が生成した印刷データを前記印刷装置に送信する印刷データ送信工程とをコンピュータに実行させるためのプログラム。
【請求項６】
前記監視工程の監視する画像形成材料の残量が所定のエンプティ値に達するとその印刷ジョブの実行方法を提供する実行方法選択工程を備え、
前記保存データ生成工程は、前記実行方法選択工程の提供した印刷ジョブ実行方法の中から、エンプティ値に達した画像形成材料を用いる印刷データを前記印刷装置の記憶部に保存することが選択されると印刷データの生成を行う工程を備えたことを特徴とする請求項５に記載のプログラム。
【発明の詳細な説明】
【技術分野】
【０００１】
本発明は、印刷ジョブの実行に印刷装置が用いる画像形成材料の残量が所定のエンプティ値に達しているか監視を行う印刷制御装置、印刷システム、及びプログラムに関する。
【背景技術】
【０００２】
この種の印刷制御装置を備える印刷装置として、下記の特許文献１には、プリンタ装置が開示されている。このプリンタ装置では、監視しているトナーが空になると、別のトナーを用いた印刷，印刷中止の何れかをユーザに選択させる。このようにして、トナー切れの際にユーザの要望に適した処理が実行される。
【０００３】
【特許文献１】特開２００３−７６０９８号公報
【発明の開示】
【発明が解決しようとする課題】
【０００４】
印刷装置では、印刷結果の必要性や印刷結果を得ることの緊急度等が印刷ジョブ毎に異なることから、トナー等の画像形成材料が切れた場合に行われる処理をより多様化することが望まれていた。
【０００５】
本発明は、上記した点に鑑み、画像形成材料が切れた際に行われる処理をより多様化することのできる印刷制御装置、印刷システム、及びプログラムを提供することを目的とする。
【課題を解決するための手段】
【０００６】
このような目的を達成するために、本発明の印刷制御装置は、印刷ジョブの実行に印刷装置が用いる画像形成材料の残量を監視する監視手段と、前記監視手段の監視する画像形成材料の残量が所定のエンプティ値に達するとその画像形成材料を用いる印刷データを前記印刷装置の記憶部への保存用に生成する保存データ生成手段と、前記保存データ生成手段が生成した印刷データを前記印刷装置に送信する印刷データ送信手段とを備えることを特徴とする。
また、本発明は、前記監視手段の監視する画像形成材料の残量が所定のエンプティ値に達するとその印刷ジョブの実行方法を提供する実行方法選択手段を備え、前記保存データ生成手段は、前記実行方法選択手段の提供した印刷ジョブの実行方法の中から、エンプティ値に達した画像形成材料を用いる印刷データを前記印刷装置の記憶部に保存することが選択されると印刷データの生成を行うことを特徴とする。
また、本発明の印刷システムは、印刷ジョブを生成するジョブ生成装置と、前記ジョブ生成装置が生成した印刷ジョブに基づき印刷を行う印刷装置とを備えて構成される印刷システムであって、印刷ジョブの実行に前記印刷装置が用いる画像形成材料の残量を監視する監視手段と、前記監視手段の監視する画像形成材料の残量が所定のエンプティ値に達するとその画像形成材料を用いる印刷データを前記印刷装置の記憶部への保存用に生成する保存データ生成手段と、前記保存データ生成手段が生成した印刷データを前記印刷装置の記憶部に保存する印刷データ保存手段とを、それぞれ前記ジョブ生成装置及び前記印刷装置の何れかに備えることを特徴とする。
また、本発明は、前記監視手段の監視する画像形成材料の残量が所定のエンプティ値に達するとその印刷ジョブの実行方法を提供する実行方法選択手段を、前記ジョブ生成装置又は前記印刷装置に備え、前記保存データ生成手段は、前記実行方法選択手段の提供した印刷ジョブの実行方法の中から、エンプティ値に達した画像形成材料を用いる印刷データを前記印刷装置の記憶部に保存することが選択されると、印刷データの生成を行うことを特徴とする。
また、本発明のプログラムは、印刷ジョブの実行に印刷装置が用いる画像形成材料の残量を監視する監視工程と、前記監視工程の監視する画像形成材料の残量が所定のエンプティ値に達するとその画像形成材料を用いる印刷データを前記印刷装置の記憶部への保存用に生成する保存データ生成工程と、前記保存データ生成工程が生成した印刷データを前記印刷装置に送信する印刷データ送信工程とをコンピュータに実行させることを特徴とする。
また、本発明は、前記監視工程の監視する画像形成材料の残量が所定のエンプティ値に達するとその印刷ジョブの実行方法を提供する実行方法選択工程を備え、前記保存データ生成工程は、前記実行方法選択工程の提供した印刷ジョブ実行方法の中から、エンプティ値に達した画像形成材料を用いる印刷データを前記印刷装置の記憶部に保存することが選択されると印刷データの生成を行う工程を備えたことを特徴とする。
【発明の効果】
【０００７】
本発明によれば、印刷に用いる画像形成材料の残量が所定のエンプティ値に達した印刷データが印刷装置の記憶部に保存され、その印刷データを用いた印刷を後で行えることから、印刷に用いる画像形成材料の残量が所定のエンプティ値に達した際に行うことのできる処理をより多様化することができる。
【発明を実施するための最良の形態】
【０００８】
以下、図面を参照して、本発明の最良の形態を説明する。図１は、本実施形態に係る印刷システム１０の概略構成図である。図２は、印刷システム１０を構成するパソコン２にインストールされたプリンタドライバ３の構成の概略を示すブロック図である。
【０００９】
図１に示すように、印刷システム１０は、プリンタドライバ３のインストールされた複数のパソコン２と、印刷装置１とを備えて構成されている。同図に示す例では、プリンタドライバ３ａ〜３ｃのそれぞれがインストールされたパソコン２ａ〜２ｃ、及び、印刷装置１としての複合機１ａ，プリンタ１ｂを接続したネットワーク環境内に、印刷システム１０が構成されている。
【００１０】
図２に示すように、プリンタドライバ３は、状態監視クラス４、印刷データ生成クラス５、印刷方法選択クラス６、データ変換クラス７、及びデータ送信処理クラス８を備えて構成されたプログラムであり、印刷装置１による印刷を制御する印刷制御装置として、パソコン２を機能させる。
【００１１】
状態監視クラス４は、印刷装置１での印刷に用いられるイエロー（Ｙ），マゼンダ（Ｍ），シアン（Ｃ），ブラック（Ｋ）の各トナーの残量を監視するクラスである。状態監視クラス４は、印刷装置１での印刷に用いるトナーの種別で区別されるカラー又はモノクロの印刷モードに対応したトナー残量の監視を行う。具体的には、カラーモードではカラー印刷用のイエロー（Ｙ），マゼンダ（Ｍ），シアン（Ｃ），ブラック（Ｋ）、モノクロモードではモノクロ印刷用のブラック（Ｋ）のトナー残量の監視が行われる。印刷装置１には上記各トナーの残量検知手段が備えられており、状態監視クラス４は、この残量検知手段による検知結果、又は、検知結果に基づきトナー残量が所定のエンプティ値に達したと印刷装置１が判断した結果を表す情報（トナーエンプティ信号等）を参照して、トナー残量を監視する。
【００１２】
印刷データ生成クラス５は、パソコン２の備えるアプリケーションから指令を受けて、そのアプリケーションを用いて描かれた描画又はテキストのデータに基づき、印刷装置１での印刷に用いる印刷データを生成するクラスである。印刷データ生成クラス５は、カラーモードではイエロー（Ｙ），マゼンダ（Ｍ），シアン（Ｃ）のトナーの用いられるカラー印刷データ、及び、ブラック（Ｋ）のトナーの用いられるモノクロ印刷データをそれぞれ生成し、モノクロモードではモノクロ印刷データをそれぞれ生成する。
【００１３】
印刷方法選択クラス６は、状態監視クラス４で監視した何れかのトナー残量が所定のエンプティ値に達すると、印刷方法の選択手段をユーザに提供するクラスである。印刷方法選択クラス６は、印刷指令を受けたアプリケーションを用いて、不足したトナーを別のトナーに代えて印刷する「印刷する」，印刷を中止する「印刷しない」，印刷データを印刷装置１のＨＤＤ（ハードディスク）に保存する「ＨＤＤ保存する」の何れかをユーザが選択するための画面表示をパソコン２の表示画面上で行う。また、「ＨＤＤ保存する」が選択されて、その選択結果をアプリケーションから受け取ると、保存場所をユーザが選択するための画面表示を行う。
【００１４】
データ変換クラス７は、印刷方法選択クラス６が提供した印刷方法の中から、「印刷する」又は「ＨＤＤ保存する」が選択され場合に、必要なデータ変換を行うクラスである。データ変換クラス７には、ＨＤＤ保存用、モノクロ用、カラー用の３つの変換クラス７１〜７３が備えられている。ＨＤＤ保存用変換クラス７１は、「ＨＤＤ保存する」が選択されると、保存及び後の印刷に用いるのに必要な印刷装置のボックス（フォルダ）番号やボックスのパスワード等のＨＤＤの保存場所の情報の付加されたＨＤＤ保存用データに印刷データを変換する。モノクロ用変換クラス７２は、イエロー（Ｙ），マゼンダ（Ｍ），又はシアン（Ｃ）のトナーがエンプティ値に達して「印刷する」が選択された場合に、カラー印刷用のカラー印刷データをモノクロ印刷用のモノクロ印刷データに変換する。カラー用変換クラス７３は、ブラック（Ｋ）のトナーがエンプティ値に達して「印刷する」が選択された場合に、モノクロ印刷データをカラー印刷データに変換する。
【００１５】
データ送信処理クラス８は、印刷データ生成クラス５が生成し、又は、データ変換クラス７が変換した印刷データを印刷装置１に送信するクラスである。データ送信処理クラス８は、ＨＤＤに保存された印刷データに基づく印刷の指令も、印刷装置１に送信する。
【００１６】
次に、アプリケーションから印刷指令を受けたプリンタドライバ３の動作について説明する。アプリケーションから印刷指令を受けると、印刷データ生成クラス５が印刷データを生成し、生成した印刷データをデータ送信処理クラス８が印刷装置１に送信する。印刷装置１は、受信した印刷データに基づき必要なトナーを用いて印刷を行う。状態監視クラス４は、印刷指令を受けると、また、上述した印刷処理中には定期的に、トナー状態監視処理を行う。
【００１７】
このトナー状態監視処理について、図３のフローチャートを用いて説明する。トナー状態監視処理では、印刷に用いるトナーの残量を状態監視クラス４が状態監視し（ステップ（以下Ｓ）１）、監視した何れかのトナーの残量がエンプティ値に達しているかを判別する（Ｓ２）。印刷に用いる何れかのトナー残量がエンプティ値に達していてＳ２の判別が“ＹＥＳ”だと、プリンタドライバ３は、印刷処理を中断して後述するエンプティ時処理を行う（Ｓ３）。Ｓ２の判別が“ＮＯ”の場合、又は、Ｓ３のエンプティ時処理が行われると、トナー状態監視処理は終了する。
【００１８】
次に、トナー状態監視処理のＳ３で実行されるエンプティ時処理について説明する。図４は、エンプティ時処理の概略を示すフローチャートである。
【００１９】
エンプティ時処理では、印刷方法選択クラス６は、印刷方法選択要求処理を行う（Ｓ１１）。この処理では、「印刷する」，「印刷しない」，又は「ＨＤＤ保存する」をユーザが選択する画面表示を行い、「ＨＤＤ保存する」が選択されると、「ＨＤＤの保存場所」をユーザが選択する画面表示を行う。続いて、印刷方法選択クラス６は、Ｓ１１の処理でモノクロ若しくはカラーへの変換印刷（「印刷する」）、又は、ＨＤＤ保存が選択されたかを判別する（Ｓ１２）。この判別が“ＮＯ”だと、生成済みの印刷データがあればそれが消去され（Ｓ１３）、処理が終了する。これにより、アプリケーションの指令に基づく印刷処理が終了する。なお、印刷開始時に行われるトナー状態監視処理では、印刷データが生成されていないことから、このＳ１３の処理は行われず、そのままエンプティ時処理が終了する。
【００２０】
変換印刷又はＨＤＤ保存が選択されていてＳ１２の判別が“ＹＥＳ”になると、印刷方法選択クラス６は、印刷データが生成済みか否かを判別する（Ｓ１４）。この判別が“ＮＯ”だと、印刷データ生成クラス５は、必要な印刷データを生成する（Ｓ１５）。印刷開始時に行われるトナー状態監視処理、又は、印刷データの生成完了前に行われる定期的なトナー状態監視処理では、Ｓ１４の判別が“ＮＯ”となり、Ｓ１５で印刷データの生成が行われる。
【００２１】
Ｓ１４の判別が“ＹＥＳ”の場合、又は、Ｓ１５の処理の後、データ変換クラス７は、カラー若しくはモノクロの変換印刷用、又は、ＨＤＤ保存用に印刷データを変換する（Ｓ１６）。つまり、変換印刷が選択されると、モノクロ用変換クラス７２がモノクロ印刷データへの変換を行い、カラー用変換クラス７３がカラー印刷データへの変換を行い、ＨＤＤ保存が選択されるとＨＤＤ保存用変換クラス７１が印刷データの変換を行う。Ｓ１６で印刷データの変換が行われると、データ送信処理クラス８は、変換したデータを印刷装置１に送信する（Ｓ１７）。これにより、エンプティ時処理が終了する。その後、印刷装置１では、送信されたデータに基づく印刷、又は、ＨＤＤへの保存が行われる。
【００２２】
このようにしてトナーエンプティ時の処理を行うプリンタドライバ３が、ＨＤＤ保存を選択されたときに行う処理の流れを説明する。まず、アプリケーションからの印刷指令を受けた際に、印刷に用いる何れかのカラートナーの残量がエンプティ値に達していた場合の処理の流れについて、図５のシーケンス図を用いて説明する。
【００２３】
アプリケーションからカラーモードでの印刷指令を受けると、状態監視クラス４は、トナー残量監視処理を行い（Ｓ１０１）、イエロー（Ｙ），マゼンダ（Ｍ），シアン（Ｃ），及びブラック（Ｋ）の何れかのカラー印刷用トナーの残量がエンプティ値に達していると、印刷方法選択要求処理を行う（Ｓ１０２）。ユーザによりＨＤＤ保存が選択されると、印刷データが生成されていないことから、印刷データ生成クラス５により印刷データが生成される（Ｓ１０３）。印刷データが生成されると、ＨＤＤ保存用変換クラス７１によって印刷データがＨＤＤ保存用に変換される（Ｓ１０４）。続いて、変換されたデータが、データ送信処理クラス８により印刷装置１に送信され（Ｓ１０５）、Ｓ１０２の処理で指定されたＨＤＤの保存場所に保存される。
【００２４】
次に、アプリケーションからの印刷指令を受けての印刷途中で、印刷に用いる何れかのトナーの残量がエンプティ値に達していた場合の処理の流れについて、図６のシーケンス図を用いて説明する。
【００２５】
アプリケーションから印刷指令を受けると、状態監視クラス４がトナー残量監視処理を行い（Ｓ１１１）、印刷に用いる何れのトナー残量もエンプティ値に達していないと、印刷データ生成クラス５が印刷データを生成する（Ｓ１１２）。生成された印刷データは、データ送信処理クラス８により印刷装置１に送信される（Ｓ１１３）。その後の印刷中に状態監視クラス４が定期的に行うトナー残量監視処理（Ｓ１１４）で、印刷に用いる何れかのトナーがエンプティ値に達していると、印刷方法選択クラス６が印刷方法選択要求処理を行う（Ｓ１１５）。ユーザによりＨＤＤ保存が選択されると、Ｓ１１２で印刷データ生成クラス５の生成した印刷データが、ＨＤＤ保存用変換クラス７１によりＨＤＤ保存用に変換され（Ｓ１１６）、続いてデータ送信処理クラス８により印刷装置１に送信されて（Ｓ１１７）、Ｓ１１５の処理で指定されたＨＤＤの保存場所に保存される。
【００２６】
本実施形態によれば、状態監視クラス４が監視するトナーの残量が所定のエンプティ値に達すると、そのトナーを用いる印刷データが印刷装置１のＨＤＤに保存され、その印刷データを用いた印刷を後で行うことができる。このため、不足していたトナーの補給後にはカラー又はモノクロの所望のモードでの印刷を、画質を落としてでも印刷結果が必要になれば変換印刷を、印刷結果が必要なくなった場合には印刷中止を、その後の所望のタイミングでユーザが選択し、印刷装置１のＨＤＤに保存された印刷データを用いて印刷することが可能となる。従って、トナー切れの際に行うことのできる処理をより多様化することができる。
【００２７】
しかも、パソコン２から印刷装置１に送信する処理を省いて、アプリケーションを含むパソコン２、及び、プリンタドライバ３の処理負担を軽減することができる。また、これらの処理を削減することで、再度の印刷に要する時間を短縮することもできる。この結果、同じデータを再度印刷する際のユーザの印刷待時間を短縮することができる。
【００２８】
また、パソコン２のアプリケーションで作成された描画やテキストのデータを、印刷用の印刷データに変換する印刷装置１では、印刷データに変換することなく、トナーの補充後にはそのトナーを用いた印刷を、また、トナー補充前には他のトナーを用いた変換印刷を、それぞれ後に行うことができる。このため、トナー補充後に再度の印刷処理を行う際に、印刷データへの変換処理を省いてプリンタドライバ３やパソコン２の処理負担を軽減して、印刷までの時間を短縮することもできる。この結果、同じデータを再度印刷する際のユーザの印刷待ち時間を更に短縮することができる。
【００２９】
また、本実施形態によれば、状態監視クラス４の監視するトナーの残量が所定のエンプティ値に達すると、ユーザの選択に応じて印刷装置１のＨＤＤに印刷データが保存されることから、突然発生したトナー切れの際に、印刷ジョブをどのように処理するかを、ユーザがその場で選択する負担を軽減することができる。
【００３０】
また、不揮発性の記憶媒体であるＨＤＤに印刷データを保存することにより、印刷装置１への電源供給が遮断される等した後にも、印刷データの再印刷を行うことができる。
【００３１】
上記実施形態では、印刷ジョブ単位で印刷データの変換を行った場合について説明したが、印刷される画像や印刷部数の単位で印刷データの変換を行ってもよい。例えば、3部の印刷を行う場合、1部目を変換印刷し、2部目及び3部目はHDDへ保存してもよい。また、複数ページに亘る印刷データのうちの一部のページの印刷データにカラー印刷データが含まれる場合に、シアン，マゼンダ，又はイエローのトナー残量がエンプティ値に達すると、その一部のページの印刷データについて印刷データの変換を行い、ＨＤＤへの保存等の処理をし、残りのページについては印刷処理を継続してもよい。
【００３２】
また、印刷装置１としては複合機、プリンタ、又はコピー機を用いることができ、これらを組み合わせて印刷システムを構成することができる。また、画像形成材料は、トナーには限らず、インク等の他の画像形成材料を用いることもできる。また、画像形成材料の種類は、ブラック，シアン，マゼンダ，イエローの４種類に限らず、これらにライトシアン，ライトマゼンダ等を加えてもよい。この場合、ブラックのみを用いたモノクロ、これにシアン，マゼンダ，イエローを用いたカラー、更にライトシアン，ライトマゼンダを加えた種別の３種類のモードを設定して、トナー残量のエンプティ時にはこれらのトナーの用いられる各印刷データ間での変換を行ってもよい。
【００３３】
上記実施形態では、ＨＤＤへの保存が選択されたときに、印刷データ生成クラスで印刷データを生成後にＨＤＤ保存用にデータ変換を行った場合について説明した。しかしながら、ＨＤＤ保存用の変換時に生成されていない印刷データについては、ＨＤＤ保存用のデータを直接生成してもよい。また、ＨＤＤへの保存以外の選択肢は、カラー又はモノクロへの変換，印刷中止には限らず、例えば、モノカラー（単色カラー）印刷を選択肢として加えてもよい。また、カラー変換，モノクロ変換，印刷中止の何れか１又は複数の選択肢を備えない構成としてもよい。
【００３４】
また、上記実施形態では、トナー残量がエンプティ値に達した場合にＨＤＤ保存をユーザに選択させた場合について説明したが、ユーザの選択を受けることなくＨＤＤに保存してもよい。この場合、ＨＤＤに保存されたことや保存場所をユーザに報知してもよい。また、ＨＤＤへの保存が選択されたときには、後にトナーが補給されると印刷を自動的に再開しても、また、それを報知する処理を行ってもよい。また、プリンタドライバ３は、ＨＤＤ保存用変換クラス７１が印刷データに付加した保存場所や排紙先、排紙時間、印刷装置１が正常状態であること等の情報を記憶して、ユーザの要求に応じてパソコン２に画面表示してもよい。
【００３５】
また、本発明のプログラム（実施形態ではプリンタドライバ３）は、パソコン２だけでなく、印刷装置１にインストールされていてもよい。また、印刷システム１０は、プリンタドライバ３の備える各クラスの機能を１又は複数の印刷装置１及びパソコン２に、分散させて備える構成を有していてもよい。また、上記実施形態では、印刷装置１への電源供給の遮断後にも印刷データの記憶される不揮発性のＨＤＤに印刷データを保存した場合について説明した。しかしながら、マイクロドライブ、ＣＦ、ＳＳＤ等の他の不揮発性の記憶媒体に印刷データを記憶することもできる。また、印刷データを記憶する記憶媒体は、必ずしも不揮発性を有している必要はなく、ＲＡＭ等の不揮発性を有しない印刷装置１の備える他の記憶部に印刷データを保存することもできる。
【図面の簡単な説明】
【００３６】
【図１】本発明の一実施形態の印刷システムの概略構成図である。
【図２】印刷システムを構成するパソコンにインストールされたプリンタドライバの構成の概略を示すブロック図である。
【図３】プリンタドライバの実行するトナー状態監視処理の処理の概略を示すフローチャートである。
【図４】トナー状態監視処理で実行されるエンプティ時処理の処理の概略を示すフローチャートである。
【図５】トナーエンプティ時の処理を行うプリンタドライバが、ＨＤＤ保存を選択されたときに行う処理の流れを説明する第１の図である。
【図６】トナーエンプティ時の処理を行うプリンタドライバが、ＨＤＤ保存を選択されたときに行う処理の流れを説明する第２の図である。
【符号の説明】
【００３７】
１０            印刷システム
１              印刷装置
１ａ            複合機
１ｂ            プリンタ
２，２ａ〜２ｃ  パソコン（ＰＣ）
３，３ａ〜３ｃ  プリンタドライバ
４              状態監視クラス
５              印刷データ生成クラス
６              印刷方法選択クラス
７              データ変換クラス
８              データ送信処理クラス
【図１】
2009259138.tif 000003
【図２】
2009259138.tif 000004
【図３】
2009259138.tif 000005
【図４】
2009259138.tif 000006
【図５】
2009259138.tif 000007
【図６】
2009259138.tif 000008